【手続補正書】
【提出日】平成22年8月2日(2010.8.2)
【手続補正１】
【補正対象書類名】特許請求の範囲
【補正対象項目名】全文
【補正方法】変更
【補正の内容】
【特許請求の範囲】
【請求項１】
身体経路内の狭窄部を削り落とす回転式アテレクトミーデバイスであって、該デバイスは、
ガイドワイヤーと、
細長い柔軟なカテーテルであって、該カテーテルは、管腔、遠位端および該遠位端に配置された遠位切削表面クリーナーを備えている、カテーテルと、
細長い柔軟な駆動シャフトであって、該駆動シャフトは、拡大された切削表面および内側の管腔を備え、該駆動シャフトは、該ガイドワイヤーを介して前進、引き込みおよび回転をすることが可能であり、該駆動シャフトの少なくとも一部分は、該カテーテルの該管腔の中で前進、引き込みおよび回転をすることが可能である、駆動シャフトと
を備えている、デバイス。
【請求項２】
前記遠位切削表面クリーナーは、前記カテーテルの前記遠位端に取り付けられている、請求項１に記載の回転式アテレクトミーデバイス。
【請求項３】
前記遠位切削表面クリーナーは、前記カテーテルの前記遠位端と一体化されている、請求項１に記載の回転式アテレクトミーデバイス。
【請求項４】
前記遠位切削表面クリーナーは、少なくとも二つの開放可能なセクションをさらに備え、該少なくとも二つの開放可能なセクションは、放射方向外向きに柔軟性があり、放射方向内向きに付勢される、請求項１に記載の回転式アテレクトミーデバイス。
【請求項５】
前記遠位切削表面クリーナーは、複数の開放可能なセクションをさらに備え、該複数の開放可能なセクションは、放射方向外向きに柔軟性があり、放射方向内向きに付勢されている、請求項１に記載の回転式アテレクトミーデバイス。
【請求項６】
前記少なくとも二つの開放可能なセクションは、内側表面をさらに備え、該内側表面は、研磨材を備えている、請求項４に記載の回転式アテレクトミーデバイス。
【請求項７】
前記遠位切削表面クリーナーは、少なくとも部分的に、該遠位切削表面クリーナーの中に前記拡大された切削表面を受容し、該切削表面と前記内側表面の研磨材とをこすり落としながら係合させる能力がある、請求項４に記載の回転式アテレクトミーデバイス。
【請求項８】
前記拡大された切削表面は、同心である、請求項１に記載の回転式アテレクトミーデバイス。
【請求項９】
前記拡大された切削表面は、偏心である、請求項１に記載の回転式アテレクトミーデバイス。
【請求項１０】
前記駆動シャフトは、らせん状に巻かれたワイヤーターンを備え、前記拡大された切削表面は、ワイヤーターンから形成される、請求項１に記載の回転式アテレクトミーデバイス。
【請求項１１】
前記拡大された切削表面は、前記駆動シャフトに据え付けられる、請求項１に記載の回転式アテレクトミーデバイス。
【請求項１２】
前記少なくとも二つの開放可能なセクションは、間に間隔がなく互いに隣接して配置される、請求項４に記載の回転式アテレクトミーデバイス。
【請求項１３】
前記少なくとも二つの開放可能なセクションは、間に間隔を有して互いに隣接して配置される、請求項４に記載の回転式アテレクトミーデバイス。
【請求項１４】
身体経路内の狭窄部を削り落とす回転式アテレクトミーデバイスであって、該デバイスは、
ガイドワイヤーと、
細長い柔軟なカテーテルであって、該カテーテルは、管腔、遠位端および該遠位端に配置された遠位切削表面クリーナーを備え、該遠位切削表面クリーナーは、少なくとも二つの開放可能なセクションを備え、該少なくとも二つの開放可能なセクションは、放射方向外向きに柔軟性があり、放射方向内向きに付勢され、該少なくとも二つの開放可能なセクションは、内側表面を備え、該内側表面は、該内側表面上に研磨材を備えている、カテーテルと、
細長い柔軟な駆動シャフトであって、該駆動シャフトは、該駆動シャフト上に配置された拡大された切削表面および内側の管腔を備え、該駆動シャフトは、該ガイドワイヤーを介して、かつ該カテーテルの該管腔内で、前進させられ、引き込まれるおよび回転されることが可能であり、該遠位切削表面クリーナーは、該遠位切削表面クリーナーの中に該拡大された切削表面を少なくとも部分的に受容し、該拡大された切削表面と、該切削表面クリーナーの該少なくとも二つの開放可能なセクションの該内側表面上の該研磨材とをこすり落としながら係合させることが可能である、駆動シャフトと
を備えている、デバイス。
【請求項１５】
身体経路内の狭窄部を削り落とすためのシステムであって、該システムは、
細長い柔軟な回転可能な駆動シャフトであって、該駆動シャフトの上に切削表面が提供される、駆動シャフトと、
細長いカテーテルであって、該細長いカテーテルの遠位端上にクリーナーが提供される、細長いカテーテルと
を備え、
該細長いカテーテルと該細長い柔軟な駆動シャフトとは、該身体経路内の該細長いカテーテルの管腔内で該身体経路内の狭窄部に隣接して、位置決めされるように構成され、
該細長い柔軟な駆動シャフトは、該切削表面を用いて該狭窄部を削り落とすために、該身体経路内で回転するように構成され、
該細長い柔軟な駆動シャフトは、該狭窄部から離れ、該カテーテルのクリーナーの方へ近位方向に引き込まれるように構成され、
該クリーナーは、開放された位置の中に推し進められるように構成され、該切削表面は、該開放されたクリーナーの中にスライドするように構成され、
該切削表面は、該切削表面において取り除かれた任意の物質を除去するために、該クリーナーの研磨表面とこすり落としながら係合するように構成され、
該狭窄部を削り落とすことが再開される、システム。
【請求項１６】
前記駆動シャフトは、前記切削表面と前記クリーナーの研磨表面を用いた前記クリーニングを強化するために回転するようにさらに構成される、請求項１５に記載のシステム。
【請求項１７】
前記カテーテルおよび／または前記駆動シャフトが、前記クリーナーの研磨表面が前記切削表面を長手方向にこすり落とすために長手方向に動くようにさらに構成される、請求項１６に記載のシステム。
【請求項１８】
前記切削表面は、該切削表面において取り除かれた任意の物質を除去するために、該切削表面と前記クリーナーの研磨表面とをこすり落としながら係合させている間、食塩水で押し流されるようにさらに構成される、請求項１５に記載のシステム。
【請求項１９】
前記切削表面は、該切削表面において取り除かれた任意の物質を除去するために、該切削表面と前記クリーナーの研磨表面とをこすり落としながら係合させた後で、食塩水で押し流されるようにさらに構成される、請求項１８に記載のシステム。
【請求項２０】
前記クリーニング動作が、前記身体経路内で、かつ該身体経路から前記駆動シャフトまたは前記カテーテルを除去することなしに実行される、請求項１９に記載のシステム。
【手続補正２】
【補正対象書類名】明細書
【補正対象項目名】００１２
【補正方法】変更
【補正の内容】
【００１２】
以下に、より特定的に続く図面および詳細な説明は、本発明のこれらのおよび他の実施形態を例示している。
例えば、本発明は以下の項目を提供する。
（項目１）
身体経路内の狭窄部を削り落とす回転式アテレクトミーデバイスであって、該デバイスは、
ガイドワイヤーと、
細長い柔軟なカテーテルであって、該カテーテルは、管腔、遠位端および該遠位端に配置された遠位切削表面クリーナーを備えている、カテーテルと、
細長い柔軟な駆動シャフトであって、該駆動シャフトは、拡大された切削表面および内側の管腔を備え、該駆動シャフトは、該ガイドワイヤーを介して前進、引き込みおよび回転をすることが可能であり、該駆動シャフトの少なくとも一部分は、該カテーテルの該管腔の中で前進、引き込みおよび回転をすることが可能である、駆動シャフトと
を備えている、デバイス。
（項目２）
上記遠位切削表面クリーナーは、上記カテーテルの上記遠位端に取り付けられている、項目１に記載の回転式アテレクトミーデバイス。
（項目３）
上記遠位切削表面クリーナーは、上記カテーテルの上記遠位端と一体化されている、項目１に記載の回転式アテレクトミーデバイス。
（項目４）
上記遠位切削表面クリーナーは、少なくとも二つの開放可能なセクションをさらに備え、該少なくとも二つの開放可能なセクションは、放射方向外向きに柔軟性があり、放射方向内向きに付勢される、項目１に記載の回転式アテレクトミーデバイス。
（項目５）
上記遠位切削表面クリーナーは、複数の開放可能なセクションをさらに備え、該複数の開放可能なセクションは、放射方向外向きに柔軟性があり、放射方向内向きに付勢されている、項目１に記載の回転式アテレクトミーデバイス。
（項目６）
上記少なくとも二つの開放可能なセクションは、内側表面をさらに備え、該内側表面は、研磨材を備えている、項目４に記載の回転式アテレクトミーデバイス。
（項目７）
上記遠位切削表面クリーナーは、少なくとも部分的に、該遠位切削表面クリーナーの中に上記拡大された切削表面を受容し、該切削表面と上記内側表面の研磨材とをこすり落としながら係合させる能力がある、項目４に記載の回転式アテレクトミーデバイス。
（項目８）
上記拡大された切削表面は、同心である、項目１に記載の回転式アテレクトミーデバイス。
（項目９）
上記拡大された切削表面は、偏心である、項目１に記載の回転式アテレクトミーデバイス。
（項目１０）
上記駆動シャフトは、らせん状に巻かれたワイヤーターンを備え、上記拡大された切削表面は、ワイヤーターンから形成される、項目１に記載の回転式アテレクトミーデバイス。
（項目１１）
上記拡大された切削表面は、上記駆動シャフトに据え付けられる、項目１に記載の回転式アテレクトミーデバイス。
（項目１２）
上記少なくとも二つの開放可能なセクションは、間に間隔がなく互いに隣接して配置される、項目４に記載の回転式アテレクトミーデバイス。
（項目１３）
上記少なくとも二つの開放可能なセクションは、間に間隔を有して互いに隣接して配置される、項目４に記載の回転式アテレクトミーデバイス。
（項目１４）
身体経路内の狭窄部を削り落とす回転式アテレクトミーデバイスであって、該デバイスは、
ガイドワイヤーと、
細長い柔軟なカテーテルであって、該カテーテルは、管腔、遠位端および該遠位端に配置された遠位切削表面クリーナーを備え、該遠位切削表面クリーナーは、少なくとも二つの開放可能なセクションを備え、該少なくとも二つの開放可能なセクションは、放射方向外向きに柔軟性があり、放射方向内向きに付勢され、該少なくとも二つの開放可能なセクションは、内側表面を備え、該内側表面は、該内側表面上に研磨材を備えている、カテーテルと、
細長い柔軟な駆動シャフトであって、該駆動シャフトは、該駆動シャフト上に配置された拡大された切削表面および内側の管腔を備え、該駆動シャフトは、該ガイドワイヤーを介して、かつ該カテーテルの該管腔内で、前進させられ、引き込まれるおよび回転されることが可能であり、該遠位切削表面クリーナーは、該遠位切削表面クリーナーの中に該拡大された切削表面を少なくとも部分的に受容し、該拡大された切削表面と、該切削表面クリーナーの該少なくとも二つの開放可能なセクションの該内側表面上の該研磨材とをこすり落としながら係合させることが可能である、駆動シャフトと
を備えている、デバイス。
（項目１５）
身体経路内の狭窄部を削り落とす方法であって、該方法は、
細長い柔軟な回転可能な駆動シャフト上に切削表面を提供することと、
細長いカテーテルの遠位端上にクリーナーを提供することと、
身体経路内で身体経路内の狭窄部に隣接して、該細長いカテーテルと、該細長いカテーテルの管腔内の該細長い柔軟な駆動シャフトとを位置決めすることと、
該切削表面によって該狭窄部を削り落とすために、該身体経路内で該細長い柔軟な駆動シャフトを回転させることと、
該細長い柔軟な駆動シャフトを該カテーテルのクリーナーの方へ近位方向に引き込み、該狭窄部から離すこと、
該クリーナーを開放された位置の中に推し進め、該切削表面を該開放されたクリーナーの中にスライドさせることと、
該切削表面において取り除かれた任意の物質を除去するために、該切削表面と該クリーナーの研磨表面とをこすり落としながら係合させることと、
該狭窄部を削り落とすことを再開することと
を包含する、方法。
（項目１６）
上記切削表面と上記クリーナーの研磨表面を用いた上記クリーニングを強化するために、上記駆動シャフトを回転させることをさらに包含する、項目１５に記載の方法。
（項目１７）
上記クリーナーの研磨表面が上記切削表面を長手方向にこすり落とすために、上記カテーテルおよび／または上記駆動シャフトを長手方向に動かすことをさらに包含する、項目１６に記載の方法。
（項目１８）
上記切削表面において取り除かれた任意の物質を除去するために、該切削表面と上記クリーナーの研磨表面とをこすり落としながら係合させている間、食塩水で該切削表面を押し流すことをさらに包含する、項目１５に記載の方法。
（項目１９）
上記切削表面において取り除かれた任意の物質を除去するために、該切削表面と上記クリーナーの研磨表面とをこすり落としながら係合させた後で、食塩水で該切削表面を押し流すことをさらに包含する、項目１８に記載の方法。
（項目２０）
上記身体経路内で、かつ該身体経路から上記駆動シャフトまたは上記カテーテルを除去することなく、クリーニング動作を実行することをさらに包含する、項目１９に記載の方法。